(57)【特許請求の範囲】
【請求項１】
物体側から像側へ順に、合焦のために移動するレンズ群を含み、ズーミングのためには不動の正の屈折力の第１レンズ群、変倍用の負の屈折力の第２レンズ群、ズーミングのために移動する負の屈折力の第３レンズ群、ズーミングのために移動する正の屈折力の第４レンズ群、ズーミングのためには不動の正の屈折力の第５レンズ群から構成され、ズーミングに際して隣接するレンズ群の間隔が変化するズームレンズにおいて、
ズーミングに際して、前記第４レンズ群と前記第５レンズ群の間隔は、望遠端において最も広くなり、
広角端と望遠端における前記第２レンズ群の横倍率を各々β２ｗ、β２ｔ、広角端と望遠端における前記第４レンズ群と前記第５レンズ群の間隔を各々ＷＬ４、ＴＬ４とするとき、
０．１９＜｜β２ｗ｜＜０．４２
１０．０＜｜β２ｔ／β２ｗ｜
１．７＜ＴＬ４／ＷＬ４＜１１０．０
なる条件を満足することを特徴とするズームレンズ。
【請求項２】
前記第２レンズ群と、前記第４レンズ群の焦点距離を各々ｆ２、ｆ４とし、広角端における全系の焦点距離をｆｗとするとき、
１．４＜｜ｆ２／ｆｗ｜＜４．０
３．３＜｜ｆ４／ｆｗ｜＜５０．０
なる条件を満足することを特徴とする請求項１に記載のズームレンズ。
なる条件を満足することを特徴とする請求項１又は２に記載のズームレンズ。
【請求項３】
広角端から望遠端へのズーミングに際して前記第２レンズ群は物体側から像側へ移動し、前記第３レンズ群は物体側に凸状の軌跡を描いて移動し、前記第４レンズ群は像側から物体側へ移動することを特徴とする請求項１又は２に記載のズームレンズ。
【請求項４】
全系のズーム倍率をβallとするとき、
１．１０＜｜β２ｔ／β２ｗ｜／βall＜１００．０
なる条件式を満足することを特徴とする請求項１乃至３のいずれか１項に記載のズームレンズ。
【請求項５】
請求項１乃至４のいずれか１項に記載のズームレンズと、該ズームレンズによって形成した像を受光する固体撮像素子を有していることを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、監視用カメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置した５つのレンズ群より成るポジティブリード型の５群ズームレンズが知られている。このポジティブリード型のズームレンズで、バリエータとコンペンセータの機能を持つ変倍レンズ群（変倍部）を３つの可動レンズ群で構成し、互いに異なった軌跡で移動したテレビカメラ用の５群ズームレンズが知られている。
【０００３】
例えば正の屈折力の第１レンズ群、負の屈折力の第２レンズ群、負の屈折力の第３レンズ群、正の屈折力の第４レンズ群、正の屈折力の第５レンズ群よりなるテレビカメラに好適な５群ズームレンズが知られている（特許文献１、２）。この５群ズームレンズにおいては、負の屈折力の第２レンズ群、負の屈折力の第３レンズ群、正の屈折力の第４レンズ群の３つの可動レンズ群よりなる変倍部が、変倍と変倍に伴う像面変動の補正を行っている。
【先行技術文献】
【特許文献】
【０００４】
【特許文献１】特開平０２−０５０１２０号公報
【特許文献２】特開平０４−１４７１１０号公報
【発明の概要】
【発明が解決しようとする課題】
【０００５】
５群ズームレンズにおいて、高ズーム比化を維持しつつ、高い光学性能を得るには変倍レンズ群としての第２、第３、第４レンズ群のズーミングの際の移動条件や第２、第４レンズ群の屈折力等を適切に設定することが重要になってくる。この他、第２レンズ群の広角端と望遠端における結像倍率を適切に設定することが重要になってくる。これらの構成を適切に設定しないと、広画角かつ高ズーム比で全ズーム範囲にわたり高い光学性能のズームレンズを得るのが難しくなってくる。
【０００６】
特許文献１、２の、５群ズームレンズにおいては、全系の小型化と、高性能化を図っているが、広角端から望遠端へのズーミングに際する第２レンズ群の変倍比が小さく、ズーム比が必ずしも十分でなかった。
【０００７】
本発明は、高ズーム比でしかも全ズーム範囲にわたり高い光学性能を有するズームレンズ及びそれを有する撮像装置の提供を目的とする。
【課題を解決するための手段】
【０００８】
本発明のズームレンズは、物体側から像側へ順に、合焦のために移動するレンズ群を含み、ズーミングのためには不動の正の屈折力の第１レンズ群、変倍用の負の屈折力の第２レンズ群、ズーミングのために移動する負の屈折力の第３レンズ群、ズーミングのために移動する正の屈折力の第４レンズ群、ズーミングのためには不動の正の屈折力の第５レンズ群から構成され、ズーミングに際して隣接するレンズ群の間隔が変化するズームレンズにおいて、
ズーミングに際して、前記第４レンズ群と前記第５レンズ群の間隔は、望遠端において最も広くなり、
広角端と望遠端における前記第２レンズ群の横倍率を各々β２ｗ、β２ｔ、
広角端と望遠端における前記第４レンズ群と前記第５レンズ群の間隔を各々ＷＬ４、ＴＬ４とするとき、
０．１９＜｜β２ｗ｜＜０．４２
１０．０＜｜β２ｔ／β２ｗ｜
１．７＜ＴＬ４／ＷＬ４＜１１０．０
なる条件を満足することを特徴としている。
【発明の効果】
【０００９】
本発明によれば、高ズーム比でしかも全ズーム範囲にわたり高い光学性能を有するズームレンズが得られる。
【図面の簡単な説明】
【００１０】
【図１】（Ａ）、（Ｂ）  数値実施例１の広角端と望遠端におけるレンズ断面図
【図２】（Ａ）、（Ｂ）  数値実施例１の広角端と望遠端における収差図
【図３】（Ａ）、（Ｂ）  数値実施例２の広角端と望遠端におけるレンズ断面図
【図４】（Ａ）、（Ｂ）  数値実施例２の広角端と望遠端における収差図
【図５】（Ａ）、（Ｂ）  数値実施例３の広角端と望遠端におけるレンズ断面図
【図６】（Ａ）、（Ｂ）  数値実施例３の広角端と望遠端における収差図
【図７】（Ａ）、（Ｂ）  数値実施例４の広角端と望遠端におけるレンズ断面図
【図８】（Ａ）、（Ｂ）  数値実施例４の広角端と望遠端における収差図
【図９】（Ａ）、（Ｂ）  数値実施例５の広角端と望遠端におけるレンズ断面図
【図１０】（Ａ）、（Ｂ）  数値実施例５の広角端と望遠端における収差図
【図１１】（Ａ）、（Ｂ）  数値実施例６の広角端と望遠端におけるレンズ断面図
【図１２】（Ａ）、（Ｂ）  数値実施例６の広角端と望遠端における収差図
【図１３】（Ａ）、（Ｂ）  本発明のズームレンズの各レンズ群の移動軌跡を説明するための模式図
【図１４】本発明の撮像装置の要部概略図
【発明を実施するための形態】
【００１１】
以下、本発明のズームレンズ及びそれを有する撮像装置の実施例について説明する。本発明のズームレンズは、物体側から像側へ順に、合焦のために移動するレンズ群を含み、ズーミングのためには不動の正の屈折力の第１レンズ群を有している。更に変倍用の負の屈折力の第２レンズ群、変倍に伴う像面変動の補正または変倍のうち少なくとも一方を行う負の屈折力の第３レンズ群を有している。
【００１２】
更に変倍に伴う像面変動の補正または変倍のうち少なくとも一方を行う正の屈折力の第４レンズ群、ズーミングのためには不動の正の屈折力の第５レンズ群から構成されている。広角端から望遠端へのズーミングに際して、第２レンズ群は物体側から像側へ移動し、第３レンズ群は物体側に凸状の軌跡を描いて移動し、第４レンズ群は像側から物体側へ移動する。フォーカシングは第１レンズ群の一部又は全部のレンズ群を移動して行っている。ここでズーミングのためには不動とは、ズーミングを目的として移動しないが、例えばフォーカシングに際しては移動することがあり得ることを意味する。
【００１３】
図１（Ａ）、（Ｂ）は本発明の実施例１のズームレンズの広角端（最短焦点距離端）と望遠端（長焦点距離端）におけるレンズ断面図である。図２（Ａ）、（Ｂ）はそれぞれ実施例１のズームレンズの広角端と望遠端におけるレンズ断面図である。実施例１はズーム比４０．０、広角端のＦナンバー２．２０の高ズーム比、大口径のズームレンズである。
【００１４】
図３（Ａ）、（Ｂ）は本発明の実施例２のズームレンズの広角端と望遠端におけるレンズ断面図である。図４（Ａ）、（Ｂ）は本発明の実施例２のズームレンズの広角端、望遠端における収差図である。実施例２はズーム比４０．０、広角端のＦナンバー２．２０の高ズーム比、大口径のズームレンズである。
【００１５】
図５（Ａ）、（Ｂ）は本発明の実施例３のズームレンズの広角端と望遠端におけるレンズ断面図である。図６（Ａ）、（Ｂ）は本発明の実施例３のズームレンズの広角端、望遠端における収差図である。実施例３はズーム比３６．０、広角端のＦナンバー２．２０の高ズーム比、大口径のズームレンズである。
【００１６】
図７（Ａ）、（Ｂ）は本発明の実施例４のズームレンズの広角端と望遠端におけるレンズ断面図である。図８（Ａ）、（Ｂ）は本発明の実施例４のズームレンズの広角端、望遠端における収差図である。実施例４はズーム比４０．０、広角端のＦナンバー２．２０の高ズーム比大口径のズームレンズである。
【００１７】
図９（Ａ）、（Ｂ）は本発明の実施例５のズームレンズの広角端と望遠端におけるレンズ断面図である。図１０（Ａ）、（Ｂ）は本発明の実施例５のズームレンズの広角端、望遠端における収差図である。実施例５はズーム比１７．０、広角端のＦナンバー１．９０の高ズーム比、大口径のズームレンズである。
【００１８】
図１１（Ａ）、（Ｂ）は本発明の実施例６のズームレンズの広角端と望遠端におけるレンズ断面図である。図１２（Ａ）、（Ｂ）は本発明の実施例６のズームレンズの広角端、望遠端における収差図である。実施例６はズーム比９．０、広角端のＦナンバー１．９０の高ズーム比、大口径のズームレンズである。
【００１９】
図１３（Ａ）、（Ｂ）は本発明のズームレンズにおける各レンズ群の移動軌跡の模式図である。図１４は本発明のズームレンズを備えるＴＶカメラ（撮像装置）の要部概略図である。各実施例のズームレンズは撮像装置に用いられる撮影レンズ系であり、レンズ断面図において左方が被写体側（前方）で、右方が像側（後方）である。
【００２０】
レンズ断面図において、Ｆは合焦用のレンズ群を含む正の屈折力の前玉レンズ群（第１レンズ群）である。Ｖ１は変倍用の負の屈折力のバリエータ（第２レンズ群）であり、光軸上を像面側へ単調に移動させることにより、広角端から望遠端への変倍を行っている。
【００２１】
Ｃは負の屈折力のコンペンセータ（第３レンズ群）であり、変倍に伴う像面変動を補正するため、または変倍のために物体側に凸状の軌跡を描いて移動している。Ｖ２は変倍のためまたは変倍に伴う像面変動の補正のために移動する正の屈折力のバリエータ（第４レンズ群）であり、広角端から望遠端へのズーミングに際して、光軸上を像側から物体側へ移動する。第２レンズ群Ｖ１、第３レンズ群Ｃ、第４レンズ群Ｖ２は変倍部ＬＺを構成している。以上のように、第２、第３、第４レンズ群が移動することにより、ズーミングに際して隣接するレンズ群の間隔が変化する。
【００２２】
ＳＰは絞り（開口絞り）であり、第４レンズ群Ｖ２の像側に配置されている。Ｒはズーミングのためには不動の結像作用を有する正の屈折力のリレー群（第５レンズ群）である。Ｐは色分解プリズムや光学フィルター等であり、同図ではガラスブロックとして示している。Ｉは像面であり、ビデオカメラやデジタルスチルカメラの撮影光学系として使用する際にはＣＣＤセンサやＣＭＯＳセンサ等の固体撮像素子（光電変換素子）の撮像面に相当する。
【００２３】
尚、以下の各実施例において広角端と望遠端のズーム位置は、変倍用レンズ群（各実施例では、第２、第４レンズ群Ｖ１、Ｖ２）が機構上、光軸上を移動可能な範囲の両端に位置したときのズーム位置をいう。
【００２４】
フォーカスは第１レンズ群Ｆの一部又は全てのレンズ群によって行っている。球面収差図においてｅ、ｇ、Ｃは各々ｅ線、ｇ線、Ｃ線である。非点収差図においてＭ、Ｓはメリディオナル像面、サジタル像面である。倍率色収差はｇ線、Ｃ線によって表している。ＦｎｏはＦナンバー、ωは半画角（度）である。各実施例においてはズーミングに際して、第４レンズ群Ｖ２と第５レンズ群Ｒの間隔が、望遠端において最も広くなるように第４レンズ群Ｖ２が移動する。広角端と望遠端における第２レンズ群Ｌ２の横倍率を各々β２ｗ、β２ｔとする。
【００２５】
このとき、
０．１９＜｜β２ｗ｜＜０．４２            ・・・（１）
１０.０＜｜β２ｔ／  β２ｗ｜            ・・・（２）
なる条件を満足している。
【００２６】
各実施例では第２レンズ群Ｖ１と第４レンズ群Ｖ２を用いて変倍を行っている。そして第２レンズ群Ｖ１を負の屈折力、第４レンズ群Ｖ２を正の屈折力で構成している。更に第２レンズ群Ｖ１の、広角端における横倍率β２ｗと、広角端に対する望遠端の変倍比β２ｔ／  β２ｗを適切な値に設定することで、第２レンズ群Ｖ１のズーミングの際の移動量を低減しつつ、高ズーム比化を図っている。
【００２７】
また、第４レンズ群Ｖ２を広角端から望遠端に向けて物体側に単調に移動させ変倍を行うことで、望遠側における像面変動の補正のための第３レンズ群Ｃの移動量を軽減している。これにより全系の小型化と高ズーム比化を図っている。各実施例では、上記の構成をとることにより、良好な光学性能を達成しつつ、高ズーム比、大口径でありながらコンパクトなズームレンズを達成している。
【００２８】
次に各実施例におけるズーミングに際しての各レンズ群の移動条件について説明する。図１３（Ａ）は本発明のズームレンズにおける各レンズ群の移動軌跡の模式図である。図１３（Ｂ）は、本発明と同様の屈折力のレンズ群よりなる５群ズームレンズにおいて第４レンズ群Ｖ２が広角端から望遠端へのズーミングに際して像側から物体側に移動しないと仮定した場合の各レンズ群の移動軌跡の模式図である。
【００２９】
第４レンズ群Ｖ２がズーミングに際して移動しない場合は、図１３（Ｂ）に示すように望遠側において、第３レンズ群Ｃの変倍に伴い発生する像面変動を補正するための移動量が増大する。この結果、望遠端において第３レンズ群Ｃと第４レンズ群Ｖ２が干渉してしまう。干渉を避けるには第３レンズ群Ｃと第４レンズ群Ｖ２との間隔を予め広くとっておかねばならず、この結果、ズームレンズの全長が増大し、全系の小型化が困難となる。
【００３０】
これに対して、第４レンズ群Ｖ２がズーミングに際して移動する場合は、図１３（Ａ）に示すように望遠側において、第３レンズ群Ｃの変倍に伴い発生する像面変動を補正するための像側への移動量が減少する。このため、第３レンズ群Ｃの移動量に起因したレンズ全長の拡大を軽減することができ、全系の小型化が容易となる。
【００３１】
条件式（１）、（２）は以上の事項を考慮して設定したものである。条件式（１）は第２レンズ群Ｖ１の広角端における横倍率を規定するものである。第２レンズ群Ｖ１の広角端における横倍率を増大させることにより、ズーミングの際の第２レンズ群Ｖ１の移動量を短縮しつつ、高ズーム比化を図っている。条件式（１）の下限を下回ると、第２レンズ群Ｖ１のズーミングに際しての移動量が増大し、高ズーム比化と全系の小型化が難しくなる。条件式（１）の上限を上回ると、望遠側において変倍によって生ずる像面変動の第３レンズ群Ｃによる補正が難しくなる。
【００３２】
また望遠側において第３レンズ群Ｃによる像面変動を補正するための移動量が増大し、全系の小型化が困難となる。更に望遠端において、第２レンズ群Ｖ１への軸上光線の入射高さが減少し、望遠端において軸上色収差の補正が難しくなる。
【００３３】
条件式（２）は第２レンズ群Ｖ１の広角端における横倍率と望遠端における横倍率の比を規定するものである。第２レンズ群Ｖ１の広角端に対する望遠端の変倍比を適切な値に設定することにより、ズーミングの際の第２レンズ群Ｖ１の移動量を短縮しつつ、高ズーム比化を図っている。条件式（２）の下限を下回ると、第２レンズ群Ｖ１の変倍比が減少し、高ズーム比化が難しくなる。高ズーム比化を達成するためには、他の変倍レンズ群（第４レンズ群Ｖ２）の変倍比を大きくする必要があり、第４レンズ群Ｖ２のズーミングに際しての移動量が増大するため、高ズーム比化と全系の小型化が困難となる。
【００３４】
各実施例では第４レンズ群Ｖ２と第５レンズ群Ｒの望遠端における空気間隔が、ズーミング中において最も大きくなるように設定している。特に第４レンズ群Ｖ２のズーミングにおける移動軌跡を規定し、第４レンズ群Ｖ２の変倍比を適切に設定することで、高ズーム比化と全系の小型化を図っている。更に好ましくは条件式（１）、（２）の数値範囲を次の如く設定するのが良い。
【００３５】
０．２＜｜β２ｗ｜＜０．４              ・・・（１ａ）
１０．５＜｜β２ｔ／  β２ｗ｜＜３０００・・・（２ａ）
ここで、条件式（２ａ）の上限値（３０００）は、条件式（２）の上限値として用いても構わない。
【００３６】
以上の諸条件を満足することによって、高ズーム比でかつ全ズーム範囲にわたり高い光学性能を有するズームレンズを得ている。各実施例において、更に良好なる収差補正を行い、かつズーミングの際の収差変動を小さくしつつ、レンズ系全体の小型化を図るには、次の諸条件のうち、１つ以上を満足するのが良い。
【００３７】
第２レンズ群Ｖ１と、第４レンズ群Ｖ２の焦点距離を各々ｆ２、ｆ４、ズームレンズの広角端と望遠端の焦点距離を各々ｆｗ、ｆｔ、広角端と望遠端における第４レンズ群Ｖ２と第５レンズ群Ｒの間隔（空気間隔）を各々ＷＬ４、ＴＬ４とする。また、光学系全系のズーム倍率をβallとする。尚、ここで、ズーム倍率とは、望遠端の焦点距離を広角端の焦点距離で割った値とする。このとき、次の諸条件のうち１以上を満足するのが良い。
【００３８】
１．４＜｜ｆ２／ｆｗ｜＜４．０          ・・・（３）
３．３＜｜ｆ４／ｆｗ｜＜５０．０        ・・・（４）
１．７＜ＴＬ４／ＷＬ４＜１１０．０      ・・・（５）
１．１０＜｜β２ｔ／  β２ｗ｜／βall＜１００．０・・・（６）
条件式（３）は、第２レンズ群Ｖ１と広角端における全系の焦点距離の比を規定している。条件式（３）の下限を下回ると、第２レンズ群Ｖ１の屈折力の増大に伴って、ズーミングにおける諸収差の変動が増大し、全ズーム範囲にわたり高い光学性能を達成することが困難となる。条件式（３）の上限を上回ると、第２レンズ群Ｖ１の屈折力が減少し、第２レンズ群Ｖ１のズーミングにおける移動量が増大するため、全系の小型化が困難となる。
【００３９】
条件式（４）は、第４レンズ群Ｖ２と広角端における全系の焦点距離の比を規定している。条件式（４）の下限を下回ると、第４レンズ群Ｖ２の屈折力の増大に伴って、ズーミングにおける諸収差の変動が増大し、全ズーム範囲にわたり高い光学性能を達成することが困難となる。条件式（４）の上限を上回ると、第４レンズ群Ｖ２の屈折力が減少し、第４レンズ群Ｖ２のズーミングにおける移動量が増大するため、全系の小型化が困難となる。
【００４０】
条件式（５）は、第４レンズ群Ｖ２と第５レンズ群Ｒの広角端における空気間隔と望遠端における空気間隔の比を規定している。条件式（５）の下限を下回ると、第４レンズ群Ｖ２のズーミングにおける移動量が減少し、第４レンズ群Ｖ２の変倍比を適切に設定することが難しくなり、高ズーム比化が困難となる。条件式（５）の上限を上回ると、第４レンズ群Ｖ２のズーミングにおける移動量が増大するため、レンズ全長が増大し、全系の小型化を図ることが困難となる。また、第４レンズ群Ｖ２の移動量の増大に伴う、ズーミングに対する収差変動が増大し、ズーム全域にわたって高い光学性能を得るのが困難となる。
【００４１】
また、条件式（６）は、ズームレンズ全体のズーム倍率に占める第２群の倍率の割合を規定した条件式である。この条件式の下限を下回ると、第２レンズ群による変倍比（ズーム比）が減少し、高ズーム比化が難しくなる。また、この上限を上回ると、第２レンズ群による変倍比が大きくなり過ぎてしまうため、第２レンズ群の変倍に際しての移動に伴う収差の変動が大きくなってしまうため好ましくない。更に好ましくは条件式（３）、（４）、（６）の数値範囲を次の如く設定するのが良い。
【００４２】
１．５０＜｜ｆ２／ｆｗ｜＜３．８５      ・・・（３ａ）
３．４＜｜ｆ４／ｆｗ｜＜４５．０        ・・・（４ａ）
２．４０＜｜β２ｔ／  β２ｗ｜／βall＜７２．０・・・（６ａ）
ここで、条件式（６ａ）の上限値（７２．０）は、条件式（６）の上限値として用いても構わない。
【００４３】
以上のように各実施例によれば、変倍レンズ群を３つの可動レンズ群で構成することにより、全系の小型化と高ズーム比化を図ったズームレンズ及びそれを有する撮像装置が得られる。
【００４４】
次に各実施例のレンズ構成について説明する。以下、各レンズは物体側より像側へ順に配置されているものとする。第１レンズ群Ｆは負レンズと、４つの正レンズより成っている。又は負レンズ、負レンズと正レンズとを接合した接合レンズ、３つの正レンズより成っている。又は３つの負レンズ、２つの正レンズ、正レンズと負レンズとを接合した接合レンズ、負レンズと正レンズとを接合した接合レンズ、２つの正レンズより成っている。
【００４５】
第２レンズ群Ｖ１は２つの負レンズ、正レンズ、負レンズより成っている。又は負レンズ、正レンズと負レンズとを接合した接合レンズ、正レンズ、負レンズより成っている。又は２つの負レンズ、正レンズと負レンズとを接合した接合レンズ、正レンズより成っている。第３レンズ群Ｃは負レンズと正レンズとを接合した接合レンズより成っている。第４レンズ群Ｃは１つの正レンズより成っている。又は２つの正レンズより成っている。又は２つの正レンズ、正レンズと負レンズとを接合した接合レンズより成っている。第５レンズ群Ｒは正レンズと負レンズを含み、全体として８乃至１０枚のレンズより成っている。
【００４６】
以下に本発明の実施例１〜６に対応する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。焦点距離、Ｆナンバー、画角はそれぞれ無限遠物体に焦点を合わせたときの半画角の値を表している。
【００４７】
ＢＦは最終面（ガラスブロックの最終面）から像面までの長さである。最後の３つの面は、フィルター等のガラスブロックである。非球面形状は光軸方向にＸ軸、光軸と垂直方向にＨ軸、光の進行方向を正とし、Ｒを近軸曲率半径、ｋを円錐常数、Ａ３乃至Ａ１０をそれぞれ非球面係数としたとき、次式で表している。
【００４８】
【数１】
0005871636.tif 000002
【００４９】
で表される。又、例えば「ｅ−Ｚ」は「×１０-Z」を意味する。また、各実施例における上述した条件式との対応を表１に示す。
【００５０】
（数値実施例１）
単位 mm
面データ
面番号       r        d      nd         νd       有効径
1      -1166.816    3.00   1.83481    42.7      110.06
2        166.342    0.83                        107.06
3        170.369   15.49   1.43387    95.1      107.16
4       -292.041    6.90                        106.97
5        173.555   13.91   1.43387    95.1      111.07
6       -514.293    0.20                        110.95
7        126.682   12.64   1.43387    95.1      108.03
8       1169.451    0.20                        107.30
9         93.913   10.85   1.43387    95.1       99.87
10        222.567  (可変)                         98.38
11        192.986    1.00   1.88300    40.8       33.55
12         27.675    6.82                         29.34
13        -47.818    0.90   1.81600    46.6       29.11
14         55.821    2.07                         28.85
15         90.020    5.71   1.80809    22.8       29.34
16        -46.847    0.28                         29.44
17        -66.470    1.10   1.81600    46.6       28.91
18       -572.200  (可変)                         28.77
19        -48.990    1.30   1.71700    47.9       19.35
20         41.188    3.00   1.84649    23.9       20.24
21        236.835  (可変)                         20.62
22        270.872    5.11   1.62041    60.3       33.58
23        -53.865    0.10                         34.01
24        205.650    4.22   1.51633    64.1       33.89
25        -86.017  (可変)                         33.75
26(絞り)    ∞       1.52                         32.38
27         50.115    4.25   1.48749    70.2       31.04
28        475.071    1.30   1.63980    34.5       30.16
29        129.801    2.99                         29.40
30         38.064    8.54   1.48749    70.2       27.00
31        -44.223    1.50   1.88300    40.8       24.42
32         32.794   50.00                         22.74
33       -112.761    3.60   1.48749    70.2       25.29
34        -34.148    2.00                         25.70
35        100.011    1.20   1.78590    44.2       25.39
36         28.006    5.79   1.51742    52.4       24.92
37        -77.193    0.26                         24.92
38         54.367    5.43   1.51742    52.4       24.48
39        -50.521    1.20   1.83481    42.7       23.79
40         63.496    1.60                         23.30
41         86.922    4.01   1.48749    70.2       23.39
42        -52.503    3.80                         23.31
43          ∞      33.00   1.60859    46.4       40.00
44          ∞      13.20   1.51680    64.2       40.00
45          ∞       7.88                         40.00
像面        ∞   
各種データ
ズーム比     40.00 
焦点距離      10.00   399.99  
Fナンバー      2.20     3.80  
画角          28.81     0.79  
像高           5.50     5.50  
レンズ全長   371.51   371.51  
BF             7.88     7.88  
d10            0.63    91.94  
d18           94.99    16.82  
d21           27.08     1.96  
d25            0.10    12.08  
入射瞳位置    76.96   2079.09  
射出瞳位置   164.15   164.15  
前側主点位置  87.60   3502.92  
後側主点位置  -2.12  -392.11  
ズームレンズ群データ
群  始面    焦点距離  レンズ構成長  前側主点位置  後側主点位置
1    1     127.00        64.02        34.03        -10.16
2   11     -23.00        17.87         1.72        -12.56
3   19     -66.10         4.30         0.40         -1.95
4   22      45.50         9.43         3.65         -2.45
5   26      55.31       145.20        80.98        -10.35
単レンズデータ
レンズ  始面  焦点距離
1       1   -173.25
2       3    249.91
3       5    300.18
4       7    325.44
5       9    364.21
6      11    -36.48
7      13    -31.28
8      15     38.46
9      17    -91.79
10      19    -30.87
11      20     57.92
12      22     72.57
13      24    117.61
14      27    114.16
15      28   -277.65
16      30     43.30
17      31    -21.01
18      33     98.65
19      35    -49.60
20      36     40.30
21      38     51.29
22      39    -33.36
23      41     67.55
24      43      0.00
25      44      0.00
【００５１】
（数値実施例２）
単位 mm
面データ
面番号       r        d      nd         νd       有効径
1      -1060.599    3.00   1.83481    42.7      109.24
2        159.610    0.87                        106.22
3        162.914   15.24   1.43387    95.1      106.47
4       -317.432    6.94                        106.94
5        175.147   14.72   1.43387    95.1      111.83
6       -405.326    0.20                        111.76
7        132.722   12.06   1.43387    95.1      108.85
8       1140.133    0.20                        108.18
9         92.964   11.22   1.43387    95.1      100.87
10        240.585  (可変)                         99.70
11        172.793    1.00   1.88300    40.8       34.62
12         29.358    6.03                         30.42
13        -69.746    0.90   1.81600    46.6       30.34
14         45.327    1.21                         29.47
15         68.856    5.41   1.80809    22.8       29.56
16        -49.290    0.19                         29.47
17        -48.523    1.10   1.81600    46.6       29.35
18       -572.200  (可変)                         29.18
19        -50.704    1.30   1.71700    47.9       19.97
20         35.266    3.07   1.84649    23.9       20.68
21        184.392  (可変)                         20.91
22        385.895    5.34   1.62041    60.3       33.28
23        -46.412    0.10                         33.74
24        125.973    5.38   1.49700    81.5       33.43
25       -149.518  (可変)                         32.98
26(絞り)    ∞       0.10                         31.52
27         48.263    3.85   1.48749    70.2       30.69
28        262.060    1.30   1.63980    34.5       29.92
29        109.441    2.99                         29.18
30         39.326    8.48   1.48749    70.2       27.03
31        -44.433    1.50   1.88300    40.8       24.56
32         35.012   50.00                         23.00
33       -132.306    3.56   1.48749    70.2       25.24
34        -35.583    1.56                         25.62
35         85.061    1.20   1.78590    44.2       25.34
36         28.578    5.55   1.51742    52.4       24.83
37        -86.513    0.66                         24.79
38         53.800    5.21   1.51742    52.4       24.23
39        -43.661    1.20   1.83481    42.7       23.61
40         58.426    1.98                         23.09
41         98.989    4.05   1.48749    70.2       23.23
42        -44.946    3.80                         23.21
43          ∞      33.00   1.60859    46.4       40.00
44          ∞      13.20   1.51680    64.2       40.00
45          ∞       8.00                         40.00
像面        ∞   
各種データ
ズーム比     40.00 
焦点距離      10.00   400.00  
Fナンバー      2.20     3.80  
画角          28.81     0.79  
像高           5.50     5.50  
レンズ全長   371.37   371.37  
BF             8.00     8.00  
d10            0.65    91.76  
d18           98.29    10.83  
d21           25.66     2.10  
d25            0.10    20.00  
入射瞳位置    77.60   1972.98  
射出瞳位置   180.71   180.71  
前側主点位置  88.18   3299.38  
後側主点位置  -2.00  -391.99  
ズームレンズ群データ
群  始面    焦点距離  レンズ構成長  前側主点位置  後側主点位置
1    1     127.00        64.45        35.19         -9.05
2   11     -23.00        15.83         2.53         -9.31
3   19     -66.10         4.37         0.55         -1.85
4   22      45.50        10.82         3.65         -3.40
5   26      56.09       143.19        79.09        -12.13
単レンズデータ
レンズ  始面  焦点距離
1       1   -165.08
2       3    249.92
3       5    283.35
4       7    344.09
5       9    340.48
6      11    -39.95
7      13    -33.38
8      15     35.92
9      17    -64.71
10      19    -28.68
11      20     50.53
12      22     66.83
13      24    138.06
14      27    120.23
15      28   -292.69
16      30     44.12
17      31    -21.85
18      33     98.32
19      35    -54.99
20      36     42.02
21      38     47.23
22      39    -29.61
23      41     63.78
24      43      0.00
25      44      0.00
【００５２】
（数値実施例３）
単位 mm
面データ
面番号       r        d      nd         νd       有効径
1      -6470.438    4.65   1.83481    42.7      147.92
2        263.789    0.41                        144.45
3        257.191   21.87   1.43387    95.1      144.49
4       -302.578   19.00                        144.10
5        621.481    7.90   1.43387    95.1      130.67
6      -1303.007    0.31                        129.64
7        309.039    8.29   1.43387    95.1      124.82
8       2256.312    0.31                        123.36
9        123.648   12.21   1.43387    95.1      114.42
10        354.946  (可変)                        113.07
11         73.350    1.52   1.88300    40.8       45.94
12         33.140   10.50                         40.69
13        -62.561    1.37   1.81600    46.6       40.59
14        795.040    0.12                         40.36
15        379.309    6.48   1.80809    22.8       40.34
16        -44.844    1.05                         40.25
17        -42.112    1.67   1.81600    46.6       38.77
18       -869.744  (可変)                         38.45
19        -50.600    1.30   1.71700    47.9       27.83
20         52.827    4.68   1.84649    23.9       28.95
21        257.215  (可変)                         29.42
22        169.314    6.97   1.62041    60.3       37.94
23        -65.411    0.15                         38.38
24        165.633    6.27   1.51633    64.1       37.80
25        -81.067  (可変)                         37.28
26(絞り)    ∞       3.00                         35.05
27         35.669    4.73   1.48749    70.2       31.47
28        173.744    1.30   1.63980    34.5       30.48
29         71.458    2.98                         29.38
30         84.570    5.43   1.48749    70.2       27.88
31        -40.308    1.50   1.88300    40.8       26.91
32         53.151   48.00                         25.74
33       -103.809    3.77   1.49700    81.5       27.09
34        -33.997    0.47                         27.29
35         68.848    3.15   1.51742    52.4       25.98
36        257.071    1.47                         25.27
37         23.946    6.16   1.51742    52.4       23.50
38       -119.197    1.20   1.83481    42.7       22.19
39         25.438    2.02                         20.69
40         37.340    3.52   1.48749    70.2       20.73
41        460.304    3.80                         20.36
42          ∞      33.00   1.60859    46.4       40.00
43          ∞      13.20   1.51680    64.2       40.00
44          ∞       7.72                         40.00
像面        ∞   
各種データ
ズーム比     36.00 
焦点距離      11.00   396.00  
Fナンバー      2.20     3.38  
画角          26.57     0.80  
像高           5.50     5.50  
レンズ全長   451.65   451.65  
BF             7.72     7.72  
d10            0.49   168.59  
d18          168.90     7.41  
d21           16.53     5.24  
d25            2.29     6.97  
入射瞳位置   103.60   2407.73  
射出瞳位置   7063.13   7063.13  
前側主点位置 114.61   2825.96  
後側主点位置  -3.28  -388.28  
ズームレンズ群データ
群  始面    焦点距離  レンズ構成長  前側主点位置  後側主点位置
1    1     220.00        74.95        47.32         -8.23
2   11     -35.00        22.70         6.28        -10.51
3   19     -66.10         5.98         0.59         -2.66
4   22      45.50        13.39         4.92         -3.84
5   26      74.73       138.71        75.53        -15.60
単レンズデータ
レンズ  始面  焦点距離
1       1   -301.84
2       3    323.45
3       5    968.61
4       7    822.20
5       9    429.37
6      11    -69.30
7      13    -70.66
8      15     49.46
9      17    -54.01
10      19    -35.68
11      20     76.96
12      22     76.62
13      24    105.94
14      27     90.74
15      28   -189.37
16      30     56.61
17      31    -25.62
18      33     99.63
19      35    179.88
20      37     38.94
21      38    -24.88
22      40     82.85
23      42      0.00
24      43      0.00
【００５３】
（数値実施例４）
単位 mm
面データ
面番号       r        d      nd         νd       有効径
1      -1225.539    3.00   1.83481    42.7      108.69
2        165.517    1.10                        105.77
3        173.193   15.09   1.43387    95.1      106.34
4       -299.252    6.88                        106.84
5        162.204   15.24   1.43387    95.1      111.41
6       -441.043    0.20                        111.27
7        127.481   12.29   1.43387    95.1      107.77
8        976.944    0.20                        106.99
9         91.332   10.09   1.43387    95.1       99.25
10        191.653  (可変)                         97.85
11        166.661    1.00   1.88300    40.8       33.65
12         27.236    6.81                         29.38
13        -48.075    0.90   1.81600    46.6       29.22
14         52.686    1.59                         28.92
15         77.830    5.71   1.80809    22.8       29.29
16        -48.026    0.35                         29.35
17        -66.391    1.10   1.81600    46.6       28.82
18       -572.200  (可変)                         28.67
19        -50.175    1.30   1.71700    47.9       19.27
20         45.885    2.74   1.84649    23.9       19.83
21        235.814  (可変)                         20.06
22        181.801    5.05   1.62041    60.3       33.68
23        -59.656    0.10                         34.04
24        115.764    4.73   1.51633    64.1       33.86
25        -87.373    0.12                         33.61
26         76.706    3.20   1.48749    70.2       32.16
27        306.193    1.30   1.63980    34.5       31.36
28        237.299  (可変)                         30.82
29(絞り)    ∞       0.10                         29.60
30         38.068    8.99   1.48749    70.2       28.03
31        -43.209    1.50   1.88300    40.8       25.19
32         31.781   50.00                         23.27
33       -110.294    3.58   1.48749    70.2       25.16
34        -33.720    2.00                         25.35
35         85.972    1.20   1.78590    44.2       24.15
36         28.212    5.97   1.51742    52.4       23.69
37        -74.786    2.00                         23.64
38         55.429    4.61   1.51742    52.4       22.81
39        -52.088    1.20   1.83481    42.7       22.20
40         55.850    1.58                         21.69
41         74.974    3.71   1.48749    70.2       21.77
42        -61.862    3.80                         21.66
43          ∞      33.00   1.60859    46.4       40.00
44          ∞      13.20   1.51680    64.2       40.00
45          ∞       6.80                         40.00
像面        ∞   
各種データ
ズーム比     40.00 
焦点距離      10.00   400.02  
Fナンバー      2.20     3.80  
画角          28.81     0.79  
像高           5.50     5.50  
レンズ全長   364.63   364.63  
BF             6.80     6.80  
d10            0.66    91.91  
d18           87.71    19.19  
d21           31.45     1.89  
d28            1.48     8.32  
入射瞳位置    77.09   2144.65  
射出瞳位置   274.54   274.54  
前側主点位置  87.47   3142.33  
後側主点位置  -3.20  -393.22  
ズームレンズ群データ
群  始面    焦点距離  レンズ構成長  前側主点位置  後側主点位置
1    1     127.00        64.10        34.23        -10.00
2   11     -23.00        17.45         1.92        -11.78
3   19     -66.10         4.04         0.39         -1.83
4   22      36.00        14.50         3.73         -5.72
5   29      51.58       136.43        64.32         14.27
単レンズデータ
レンズ  始面  焦点距離
1       1   -173.54
2       3    254.68
3       5    274.75
4       7    335.60
5       9    389.27
6      11    -36.78
7      13    -30.53
8      15     37.13
9      17    -91.66
10      19    -33.07
11      20     66.21
12      22     72.70
13      24     96.85
14      26    208.28
15      27   -1649.37
16      30     42.93
17      31    -20.43
18      33     97.79
19      35    -53.64
20      36     40.21
21      38     52.43
22      39    -31.94
23      41     69.92
24      43      0.00
25      44      0.00
【００５４】
（数値実施例５）
単位 mm
面データ
面番号       r        d      nd         νd       有効径
1       -160.741    2.20   1.80100    35.0       79.29
2       1575.477    4.57                         77.25
3        391.677    2.20   1.84666    23.8       75.15
4         86.467   14.10   1.43875    94.9       73.22
5       -166.243    0.50                         73.24
6        225.272    7.29   1.43387    95.1       72.38
7       -250.453    5.11                         72.13
8         94.264    9.24   1.72916    54.7       69.21
9       -448.372    0.15                         68.58
10         53.318    5.56   1.78800    47.4       58.64
11        101.757  (可変)                         57.61
12*       239.088    1.00   1.83481    42.7       28.89
13         14.185    5.69                         21.90
14       -292.596    6.33   1.80809    22.8       21.69
15        -14.548    0.75   1.83481    42.7       21.04
16         29.970    0.66                         19.10
17         21.967    5.12   1.60342    38.0       19.15
18        -32.149    1.00                         18.63
19        -20.438    0.75   1.83481    42.7       18.42
20        -66.458  (可変)                         18.44
21        -24.262    0.75   1.75500    52.3       17.71
22         40.422    3.23   1.84666    23.8       19.39
23       -370.179  (可変)                         20.18
24        -70.801    3.47   1.67003    47.2       23.83
25        -25.703    0.20                         24.62
26         44.707    3.90   1.48749    70.2       26.06
27       -154.148  (可変)                         26.03
28(絞り)    ∞       1.34                         25.51
29         90.425    5.79   1.50127    56.5       25.25
30        -32.267    1.20   1.88300    40.8       24.84
31       -471.830   33.00                         24.97
32         64.432    5.22   1.49700    81.5       25.74
33        -43.149    0.50                         25.51
34       -138.707    1.40   1.83400    37.2       24.52
35         27.240    5.20   1.48749    70.2       23.62
36       -366.027    2.12                         23.73
37         50.056    7.49   1.50127    56.5       24.52
38        -25.415    1.40   1.88300    40.8       24.42
39       -120.075    1.32                         25.16
40         48.467    4.97   1.51742    52.4       25.82
41        -59.348    4.00                         25.68
42          ∞      33.00   1.60859    46.4       40.00
43          ∞      13.20   1.51633    64.2       40.00
44          ∞       6.89                         40.00
像面        ∞   
非球面データ
第12面
K = 2.16896e+002  A 4= 1.32449e-005  A 6=-3.50256e-008  A 8= 1.29011e-010  A10=-3.76910e-013  
各種データ
ズーム比     17.00 
焦点距離       8.00   136.00  
Fナンバー      1.90     2.44  
画角          34.51     2.32  
像高           5.50     5.50  
レンズ全長   266.09   266.09  
BF             6.89     6.89  
d11            0.82    39.69  
d20           47.34     2.00  
d23            5.29     1.75  
d27            0.84    10.86  
入射瞳位置    48.98   519.75  
射出瞳位置   297.82   297.82  
前側主点位置  57.20   719.32  
後側主点位置  -1.11  -129.11  
ズームレンズ群データ
群  始面    焦点距離  レンズ構成長  前側主点位置  後側主点位置
1    1      55.94        50.91        31.69          1.01
2   12     -12.86        21.30         2.58        -11.24
3   21     -37.90         3.98        -0.23         -2.41
4   24      31.94         7.57         3.00         -1.85
5   28      46.78       121.14        54.51        -32.02
単レンズデータ
レンズ  始面  焦点距離
1       1   -180.77
2       3   -130.21
3       4    131.56
4       6    273.94
5       8    107.13
6      10    134.60
7      12    -18.00
8      14     18.56
9      15    -11.58
10      17     22.29
11      19    -35.42
12      21    -19.89
13      22     42.78
14      24     58.12
15      26     71.31
16      29     48.00
17      30    -39.05
18      32     52.70
19      34    -27.02
20      35     52.06
21      37     34.64
22      38    -36.55
23      40     52.15
24      42      0.00
25      43      0.00
【００５５】
（数値実施例６）
単位 mm
面データ
面番号       r        d      nd         νd       有効径
1*       165.849    2.50   1.77250    49.6       90.47
2         36.360   18.13                         65.60
3        183.661    1.85   1.75500    52.3       65.33
4         64.874   14.47                         61.70
5        -90.184    1.75   1.81600    46.6       61.49
6       1756.478    0.20                         63.30
7        120.118    5.46   1.76182    26.5       65.58
8        787.587    2.35                         65.62
9       2156.112    8.09   1.62041    60.3       65.82
10*       -81.796    5.04                         65.90
11        295.901    9.76   1.49700    81.5       66.01
12        -92.284    1.65   1.80100    35.0       66.12
13       -121.041    0.20                         66.68
14         96.813    1.65   2.00330    28.3       65.27
15         49.087   13.84   1.49700    81.5       62.27
16       -712.253    0.20                         62.31
17        137.308    8.08   1.48749    70.2       62.44
18       -189.895    0.20                         62.18
19         93.630    8.96   1.62041    60.3       59.36
20       -165.878  (可変)                         58.62
21         36.239    0.75   1.88300    40.8       24.90
22         24.388    2.73                         22.99
23        147.885    0.75   1.88300    40.8       22.54
24         16.833    4.88                         19.70
25        -64.198    5.64   1.76182    26.5       19.40
26        -13.083    0.80   1.88300    40.8       19.31
27       -602.692    0.20                         19.80
28         34.611    2.34   1.78472    25.7       20.07
29        191.329  (可変)                         19.87
30        -27.266    0.75   1.77250    49.6       16.41
31         51.141    1.90   1.80809    22.8       17.46
32       -165.052  (可変)                         17.79
33        314.871    2.03   1.58913    61.1       24.28
34       -189.004  (可変)                         24.74
35(絞り)    ∞       1.00                         25.12
36        102.929    3.95   1.64850    53.0       25.96
37        -78.141    0.20                         26.30
38         61.204    6.46   1.51742    52.4       26.45
39        -30.501    1.20   1.83481    42.7       26.21
40       -164.664   32.00                         26.48
41         99.273    5.08   1.64850    53.0       26.37
42        -40.633    4.60                         26.16
43        -38.211    1.20   1.88300    40.8       22.65
44         23.622    6.34   1.51633    64.1       22.44
45        -53.232    0.19                         23.27
46         36.618    8.04   1.48749    70.2       24.73
47        -23.147    1.20   1.88300    40.8       24.77
48       -125.102    0.20                         25.89
49        120.257    5.75   1.62041    60.3       26.42
50        -34.145    4.00                         26.69
51          ∞      33.00   1.60859    46.4       40.00
52          ∞      13.20   1.51680    64.2       40.00
53          ∞       8.17                         40.00
像面        ∞   
非球面データ
第1面
K = 6.52240e+000  A 4= 4.27610e-007  A 6=-1.49719e-011  A 8= 9.45187e-016  A10=-1.64736e-018  
A 3=-3.40264e-006  A 5= 4.23765e-009  A 7=-2.56601e-012  A 9= 2.51021e-016  
第10面
K =-1.65695e+000  A 4=-1.39543e-007  A 6=-4.32716e-010  A 8= 8.00630e-013  A10= 4.53467e-017  
A 3= 4.33724e-007  A 5= 2.25435e-008  A 7=-1.47654e-011  A 9=-1.25067e-014  
各種データ
ズーム比      9.00 
焦点距離       4.70    42.30  
Fナンバー      1.90     2.06  
画角          49.48     7.41  
像高           5.50     5.50  
レンズ全長   317.93   317.93  
BF             8.17     8.17  
d20            0.46    40.76  
d29           43.59     3.71  
d32           10.51     0.31  
d34            0.42    10.20  
入射瞳位置    37.80   103.70  
射出瞳位置   198.55   198.55  
前側主点位置  42.61   155.39  
後側主点位置   3.47   -34.13  
ズームレンズ群データ
群  始面    焦点距離  レンズ構成長  前側主点位置  後側主点位置
1    1      30.00       104.39        48.87         34.17
2   21     -17.50        18.09         2.35        -11.81
3   30     -44.40         2.65        -0.34         -1.82
4   33     200.00         2.03         0.80         -0.48
5   35      58.86       127.62        73.21       -101.79
単レンズデータ
レンズ  始面  焦点距離
1       1    -60.51
2       3   -133.14
3       5   -104.54
4       7    183.76
5       9    126.70
6      11    142.32
7      12   -494.33
8      14   -100.16
9      15     92.69
10      17    164.25
11      19     97.38
12      21    -86.54
13      23    -21.44
14      25     20.40
15      26    -15.07
16      28     53.01
17      30    -22.82
18      31     48.01
19      33    200.00
20      36     68.78
21      38     40.13
22      39    -44.78
23      41     44.90
24      43    -16.29
25      44     32.49
26      46     30.33
27      47    -32.16
28      49     43.32
29      51      0.00
30      52      0.00
【００５６】
【表１】
0005871636.tif 000003
【００５７】
次に各実施例のズームレンズを撮影光学系として用いた撮像装置（テレビカメラシステム）を図１４を用いて説明する。図１４において１０１は実施例１〜６のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群Ｆ、変倍部ＬＺ、結像用の第５レンズ群Ｒを有している。第１レンズ群Ｆは合焦用レンズ群が含まれている。
【００５８】
変倍部ＬＺは変倍の為に光軸上を移動する第２レンズ群、変倍に伴う像面変動を補正する為または変倍のために光軸上を移動する第３レンズ群と第４レンズ群が含まれている。
【００５９】
ＳＰは開口絞りである。第５レンズ群Ｒは光路中より挿抜可能なレンズユニットＩＥを有している。レンズユニットＩＥはズームレンズ１０１の全系の焦点距離範囲を長い方へ変移している。尚、レンズユニットＩＥを有していなくても良い。１１４、１１５は、各々第１レンズ群Ｆ、変倍部ＬＺを光軸方向に駆動するヘリコイドやカム等の駆動機構である。
【００６０】
１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【００６１】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【符号の説明】
【００６２】
Ｆは第１レンズ群、Ｖ１は第２レンズ群、Ｖ２は第３レンズ群、Ｃは第４レンズ群、Ｒは第５レンズ群、ＳＰは開口絞り
【図１】
0005871636.tif 000004
【図３】
0005871636.tif 000005
【図５】
0005871636.tif 000006
【図７】
0005871636.tif 000007
【図９】
0005871636.tif 000008
【図１１】
0005871636.tif 000009
【図２】
0005871636.tif 000010
【図４】
0005871636.tif 000011
【図６】
0005871636.tif 000012
【図８】
0005871636.tif 000013
【図１０】
0005871636.tif 000014
【図１２】
0005871636.tif 000015
【図１３】
0005871636.tif 000016
【図１４】
0005871636.tif 000017